(57)【特許請求の範囲】
【請求項１】
貯蔵室を有する貯蔵庫本体と、
前記貯蔵室内に設けられ、貯蔵物が載置される載置棚と、を備え、
前記載置棚は、左右両側にレール部を有した固定棚と、該固定棚の前方に位置し、前記レール部に案内されて前記固定棚の下方に収納される可動棚とから構成され、
前記レール部は、前記固定棚の前後方向の一部に、前記可動棚を内側に抱え込む形状にして設けられていることを特徴とする貯蔵庫。
【請求項２】
前記レール部は、前記固定棚の前部に設けられた前側レール部を有して構成されていることを特徴とする請求項１記載の貯蔵庫。
【請求項３】
前記前側レール部は、後に向かって下降傾斜して設けられ、
前記可動棚は、前記前側レール部に案内されて前記固定棚の下方にスライド可能であることを特徴とする請求項２記載の貯蔵庫。
【請求項４】
前記貯蔵室内の左右両側壁には、前記可動棚を受けてスライドさせる棚受部が設けられ、
前記前側レール部の後端は、前記棚受部と同等の高さに設けられていることを特徴とする請求項３記載の貯蔵庫。
【請求項５】
前記レール部は、前記前側レール部とは別に、前記固定棚の後部に設けられた後側レール部を有して構成されていることを特徴とする請求項４記載の貯蔵庫。
【請求項６】
前記後側レール部は、前記棚受部の後方に位置していることを特徴とする請求項５記載の貯蔵庫。
【請求項７】
前記可動棚の裏側後部の左右両側には、前記レール部をスライドする後側摺動部が設けられ、
該後側摺動部は、前記可動棚を最前位置まで引き出した状態においては、前記前側レール部に支持されていて、前記可動棚を前記最前位置から後方へ移動させるときには、前記前側レール部から前記棚受部に乗り換えて移動することを特徴とする請求項４から６いずれか一項記載の貯蔵庫。
【請求項８】
前記後側摺動部は、前記可動棚を最奥位置まで収納した状態においては、前記後側レール部に支持されていることを特徴とする請求項７記載の貯蔵庫。
【請求項９】
前記棚受部の奥側に切欠部を有し、
前記可動棚の裏側最奥部付近の左右両側には、前記棚受部を外側に抱え込む形状をなす抜止部が設けられ、
前記抜止部は、少なくとも前記可動棚が前記最前位置まで引き出された状態においては、前記棚受部を抱え込んで前記可動棚の上方への移動を規制し、前記可動棚が前記最奥位置まで収納された状態においては、前記切欠部に位置して前記可動棚の上方への移動を規制しないことを特徴とする請求項８記載の貯蔵庫。
【請求項１０】
前記可動棚において、前記後側摺動部と、前記抜止部とは、前後方向において少なくとも一部がラップして設けられていることを特徴とする請求項９記載の貯蔵庫。
【請求項１１】
前記可動棚の裏側前部の左右両側には、前記棚受部をスライドする前側摺動部が設けられ、
前記棚受部は、その前部が後に向かって下降傾斜した傾斜部を有し、
前記可動棚は、前記後側摺動部が前記前側レール部を移動している間に、前記前側摺動部が前記傾斜部の少なくとも一部を移動することを特徴とする請求項７から１０いずれか一項記載の貯蔵庫。
【請求項１２】
前記棚受部は、前記前側レール部を位置決めする位置決部を有していることを特徴とする請求項４から１１いずれか一項記載の貯蔵庫。
【発明の詳細な説明】
【技術分野】
【０００１】
本発明の実施形態は、貯蔵庫に関する。
【背景技術】
【０００２】
従来、例えば、冷蔵庫などの貯蔵庫に設けられる載置棚を前後に２つに分割して、前側の可動棚を、後側の固定棚の下方に収納可能に構成したものがある（例えば、特許文献１参照）。この場合、載置棚の一部、つまり、可動棚をスライドさせて、載置棚全体の面積を変更可能にすることで、様々な形状の貯蔵物に対応させている。これにより、冷蔵庫内の空間を有効利用するようにしている。
【０００３】
このような載置棚において、固定棚の下面左右両側には、可動棚を内側に抱え込むような形状のレールが設けられている。可動棚は、この左右のレール上を摺動して案内されることで、固定棚の下方にスライドして収納される。この場合、レールを固定棚の前後方向のほぼ全域に亘って設けることにより、可動棚の移動量、即ち、載置棚全体の面積の変化量を最大にしている。
このような構成の載置棚は、一般に、合成樹脂の射出成形品で構成されている。この場合、上記のようなレール形状を形成するためには、射出成形の金型の一部にスライド型を用いて、このスライド型を摺動させて離型する必要がある。
【先行技術文献】
【特許文献】
【０００４】
【特許文献１】特開２０００−１４６４２７号公報
【発明の概要】
【発明が解決しようとする課題】
【０００５】
しかしながら、上記構成では、固定棚のレールが、該固定棚の前後方向のほぼ全域に亘って設けられているため、スライド型も、そのレール形状に対応させて固定棚の前後方向のほぼ全域に亘ったものが必要となる。この場合、スライド型は、固定棚の表面を、レールが開放されている方向、即ち、固定棚の中央方向に摺動されて離型される。このため、固定棚には、スライド型の摺動によって、スライド型の長さ、つまり、固定棚の前後方向のほぼ全域に亘る長さの傷が、このスライド型が摺動した距離に亘って付く虞があった。この場合、例えば、意匠性等を向上させるために載置棚の上面にガラス板を組込んでインサート成形したものにおいては、ガラス板表面に傷が付くと特に目立つことになる。
【０００６】
そこで、可動棚をスライドするようにした載置棚において、射出成形の際の離型による傷ができるだけ目立たない構成とした貯蔵庫を提供する。
【課題を解決するための手段】
【０００７】
本実施形態の貯蔵庫は、貯蔵室を有する貯蔵庫本体と、前記貯蔵室内に設けられ、貯蔵物が載置される載置棚と、を備え、前記載置棚は、左右両側にレール部を有した固定棚と、該固定棚の前方に位置し、前記レール部に案内されて前記固定棚の下方に収納される可動棚とから構成され、前記レール部は、前記固定棚の前後方向の一部に、前記可動棚を内側に抱え込む形状にして設けられていることを特徴とする。
【図面の簡単な説明】
【０００８】
【図１】一実施形態に係る冷蔵庫本体上側の概略構成を示す斜視図
【図２】可動棚を固定棚の下方に収納した状態に示す図１相当図
【図３】載置棚を示す斜視図
【図４】可動棚を固定棚の下方に収納した状態に示す図３相当図
【図５】裏側後方から見た固定棚を示す斜視図
【図６】載置棚を取外した状態で冷蔵庫上側の概略構成を示す斜視図
【図７】棚受部周辺を拡大して示す斜視図
【図８】（ａ）〜（ｄ）は、可動棚が固定棚の下方に収納される様子を経時的に示す図１のＡ−Ａ線に沿う縦断側面図
【図９】（ａ）〜（ｄ）は、可動棚が固定棚の下方に収納される様子を経時的に示す図１のＢ−Ｂ線に沿う縦断側面図
【図１０】図１のＣ−Ｃ線に沿う縦断正面図
【発明を実施するための形態】
【０００９】
以下、一実施形態について、図面を参照しながら説明する。
図１に貯蔵庫本体たる冷蔵庫本体１の上側の構成を示すが、冷蔵庫本体１は、前面が開口した縦長矩形箱状をなす断熱箱体２に、図示しない冷凍サイクルなどが組込まれている。断熱箱体２の内部は、上下及び一部で左右に仕切られ、該断熱箱体２の上部に位置して貯蔵室たる冷蔵室３が設けられている。冷蔵室３の下方には、図示しない野菜室及び冷凍室などが設けられている。冷蔵室３の前面部には、図示しないヒンジ開閉式の断熱扉が設けられる。また、野菜室や冷凍室の前面部には、図示しない引出し式の断熱扉が設けられる。この断熱箱体２は、鋼板製の外箱２ａ内に、合成樹脂製の内箱２ｂが収容される形態で構成されている。
【００１０】
冷蔵室３において、上下方向の中央よりやや下側に位置して、貯蔵物などが載置される載置棚４が設けられている。この載置棚４は、前後に２枚に分割されて構成されている。具体的には、可動棚５と、この可動棚５の後方に位置する固定棚６とから構成され、図２に示すように、可動棚５が後方にスライドして固定棚６の下方に収納されるようになっている。
【００１１】
可動棚５は、図３にも示すように、ほぼ横長矩形状の合成樹脂製の外枠７内に、この外枠７よりも一回り小さいほぼ横長矩形板状をなす強化ガラスからなるガラス板８がインサート成形されている。外枠７の裏側後部の左右両側には、図３及び図９に示すように、その一部が下方へ凸状をなす後側摺動部９が設けられている。この後側摺動部９の内側、つまり、後側摺動部９における可動棚５の中心側は、外枠７の裏側後部の左右両縁部からやや内側に位置して立ち下がるようにして設けられた可動棚側案内壁１０に、一体にして設けられている。そして、この可動棚側案内壁１０の最後部の一部には、図３及び図１０に示すように、外側が広くなるように外方に折り曲げられ、後述する固定棚受部２０を外側に抱え込むようにして抜止部１１が設けられている。この場合、後側摺動部９と抜止部１１とは、前後方向においてほぼラップして設けられている。また、外枠７の前縁部は鉤状をなしている。この鉤状の折り返された端には可動棚側係止部１２が設けられ、底部には前側摺動部１３が設けられている。
【００１２】
固定棚６も、図３に示すように、ほぼ横長矩形状の合成樹脂製の外枠１４内に、この外枠１４よりも一回り小さいほぼ横長矩形板状をなす強化ガラスからなるガラス板１５がインサート成形されている。外枠１４には、図５に示すように、裏側の左右両縁部から立ち下がるようにして、該外枠１４の前後方向の全長に亘るとともに一部が前方へ突出する形態で、固定棚側案内壁１６が設けられている。この場合、左右の固定棚側案内壁１６，１６の内側間の寸法は、可動棚５の幅方向の外形寸法よりも若干広く設定されている。これにより、可動棚５は、固定棚６の固定棚側案内壁１６，１６の間に嵌って滑らかに摺動する。
【００１３】
固定棚６の左右両側における前後方向の一部には、レール部１７が設けられている。このレール部１７は、固定棚側案内壁１６の前部に設けられた前側レール部１８と、該前側レール部１８とは別に固定棚側案内壁１６の後部に設けられた後側レール部１９とから構成されている。前側レール部１８は、固定棚側案内壁１６にほぼ垂直にして、前記可動棚５を内側に抱え込むようにして設けられている。この前側レール部１８は、図９に示すように、前側水平面１８ａと、この前側水平面１８ａよりも後方下方に位置する後側水平面１８ｂとの間を、後へ向かって下降傾斜する傾斜面１８ｃによって滑らかに繋がれている。
【００１４】
後側レール部１９は、図５に示すように、固定棚側案内壁１６にほぼ垂直にして、前記可動棚５を内側に抱え込むようにして設けられている。この後側レール部１９は、図９に示すように、前側レール部１８の後端となる後側水平面１８ｂと同等の高さに設けられている。また、前側レール部１８の前側水平面１８ａと後側水平面１８ｂ、及び後側レール部１９は、それぞれほぼ平行に設けられている。
【００１５】
ちなみに、固定棚６に組込まれるガラス板１５の大きさは、前側レール部１８及び後側レール部１９をそれぞれ左右に平行移動させたときの軌跡と重ならないように設定されている。つまり、固定棚６を射出成形する際の前側レール部１８及び後側レール部１９のスライド型を、左右に摺動させて離型する際に、これらスライド型は、ガラス板１５の表面を摺動しないように構成されている。
【００１６】
同様に、ガラス板１５の大きさは、前側レール部１８及び後側レール部１９を前後に平行移動させたときの軌跡とも重ならないように設定されている。そして、前側レール部１８の後端、即ち、後側水平面１８ｂの後端と、後側レール部１９前端との間の離間距離は、前側レール部１８と後側レール部１９のそれぞれ前後方向の長さの和よりも十分に長く設定されている。このため、固定棚６を射出成形する際に、前側レール部１８用のスライド型を後方に移動させるとともに、後側レール部１９用のスライド型を前方に移動させて、前側レール部１８と後側レール部１９との間からこれらスライド型を離型させることもできる。
【００１７】
図１、図２、及び図６に示すように、載置棚４は、内箱２ｂの左右側壁に設けられた、棚受部たる固定棚受部２０と、可動棚摺動受部２１とによって支持されている。固定棚受部２０と可動棚摺動受部２１は、図１０にも示すように、内箱２ｂの左右両側壁、即ち、冷蔵室３の左右両側壁から冷蔵室３の内方に突出して一体に設けられている。固定棚受部２０は、図９（ａ）にも示すように、その前後方向について、内箱２ｂの最後部２ｃから、一定距離Ｌを離間させるとともに固定棚６の前後方向の長さとほぼ同じ長さに亘って設けられている。つまり、固定棚受部２０の前後方向の長さは、固定棚６の前後方向の長さから前記一定距離Ｌを減じた長さにほぼ等しい。この場合、前記一定距離Ｌは、後側摺動部９と抜止部１１とのそれぞれ前後方向の長さの合計から後側摺動部９と抜止部１１とがラップしている長さを減じたものより若干長く設定されている。なお、内箱２ｂの最後部２ｃと固定棚受部２０の離間されている部分により、固定棚受部２０の奥側に位置して切欠部２２が構成されている。また、この場合、後側レール部１９は、固定棚受部２０の後方に位置している。
【００１８】
ちなみに、本実施形態において、後側摺動部９と抜止部１１とは、前後方向についてほぼ同じ長さであり、これらはほぼラップして設けられている。そのため、切欠部２２の前後方向の長さ、即ち、前記一定距離Ｌは、後側摺動部９及び抜止部１１の前後方向の長さよりも若干長い距離に設定されている。固定棚受部２０の幅は、前側レール部１８とほぼ同じ幅に構成されている。この固定棚受部２０の最前部には、図７にも示すように、固定棚６の前側レール部１８が嵌り込むような凹状の位置決部２３が設けられている。図９に示すように、固定棚６の前側レール部１８が位置決部２３に位置決めされた状態において、前側レール部１８の後端、即ち、後側水平面１８ｂと、固定棚受部２０の上面とは同等の高さとなるよう設定されている。
【００１９】
可動棚摺動受部２１は、図６〜図９に示すように、固定棚受部２０に対して、前方に位置するとともに固定棚６のガラス板１５の厚さよりもやや長い距離分上方に位置して設けられている。つまり、固定棚受部２０と可動棚摺動受部２１は、可動棚５が固定棚６の下方に干渉せずにスライドして収納されるのに十分な高低差を有している。そして、この可動棚摺動受部２１は、固定棚受部２０の前端、即ち、位置決部２３の前端から可動棚５の前後方向の長さとほぼ同じ長さに亘って設けられている。また、可動棚摺動受部２１の幅は、固定棚受部２０の幅とほぼ同じに設定されている。可動棚摺動受部２１は、その前部に、最前部がこの可動棚摺動受部２１において最も高く位置して後に向かって下降傾斜する傾斜部２４を有している。この場合、傾斜部２４は、前側レール部１８の傾斜面１８ｃとほぼ同じ角度、即ち、傾斜面１８ｃとほぼ平行になっている。
【００２０】
固定棚受部２０と可動棚摺動受部２１との接続部の裏側には、固定棚受部２０側に傾斜面を有するとともに可動棚摺動受部２１側に鉛直面を有して凹形状をなす内箱側係止部２６が設けられている。可動棚５は、図８（ａ）及び図９（ａ）に示すように、抜止部１１が内箱側係止部２６にスライド可能に嵌り込んで係止されることで、前方への移動が規制されて最前位置に位置決めされる。
【００２１】
内箱２ｂの左右両側壁において、可動棚摺動受部２１の上側には、該可動棚摺動受部２１と一体にして内箱側案内壁２５が設けられている。この内箱側案内壁２５は、可動棚５の左右両側と、内箱２ｂの左右両側壁との間に生じる隙間を埋める程度の厚さに設けられている。これにより、可動棚５をスライドさせる際に、可動棚５の左右両縁部は内箱側案内壁２５に案内されるため、ガタつきなどを防止することができる。また、内箱２ｂと可動棚５との隙間を埋めることで、載置棚４、特に可動棚５に載置される小さな載置物がこの隙間に落ちてしまうことを防止することができる。
【００２２】
次に、上記構成の作用について説明する。
固定棚６は、固定棚側案内壁１６が固定棚受部２０に支持されるとともに、前側レール部１８が固定棚受部２０の位置決部２３に嵌り込んで前後方向に位置決め及び支持されている。ここで、載置棚４を最大面積にして使用する場合、可動棚５は、図１、図８（ａ）及び図９（ａ）に示すように、最前位置まで引き出される。この状態においては、図１０に示すように、可動棚５の抜止部１１は、固定棚受部２０及び前側レール部１８を外側に抱え込んでいる。これにより、可動棚５及び固定棚６、即ち載置棚４は上方への移動が規制されている。
【００２３】
また、この場合、図８（ａ）及び図９（ａ）に示すように、可動棚５は、前端に設けられた可動棚側係止部１２が傾斜部２４の前端に係止されて、後方への移動が規制されている。そして、可動棚５の後端に設けられた抜止部１１が内箱側係止部２６に係止されて前方への移動が規制されている。これにより、可動棚５は、前後方向の移動が規制される。この状態において、可動棚５は、前端部が可動棚摺動受部２１の傾斜部２４の最前部に支持されるとともに、後側摺動部９が固定棚６の前側レール部１８に支持されている。この場合、可動棚５の上面と、固定棚６の上面は、ほぼ同じ高さで水平に位置している。
【００２４】
次に、載置棚４の面積を変える場合には、図２に示すように、可動棚５を後方にスライドさせて固定棚６の下方に収納させる。この場合、まず、可動棚５の先端を押し上げる。すると、可動棚側係止部１２と傾斜部２４との係止が解放されて、可動棚５は後方への移動が可能になる。この状態で、可動棚５を後方へ押し込む。すると、可動棚５は、図８（ｂ）及び図９（ｂ）に示すように、後側摺動部９が前側レール部１８に案内されて該前側レール部１８を移動している間に、前側摺動部１３が傾斜部２４を移動し、固定棚６の下方に沈み込むようにしてスライドする。
【００２５】
ちなみに、可動棚５の先端を押し上げると、可動棚５は、後側摺動部９を支点として回転される。この場合、可動棚５の前後方向において、支点となる後側摺動部９から離れるほど、上方に移動する距離は大きくなる。ここで、例えば、抜止部１１を、後側摺動部９から前方に大きく離間させて設けるとすると、抜止部１１は、可動棚５を押し上げたときに可動棚摺動受部２１と干渉しないためには下方に長いものとしなければならないという不都合がある。本実施形態においては、後側摺動部９と抜止部１１とは前後方向にラップして設けられているため、このような不都合は無い。
【００２６】
その後、可動棚５を押し込むと、図８（ｃ）及び図９（ｃ）に示すように、可動棚５の後側摺動部９は、前側レール部１８から固定棚受部２０に乗り換えて移動するとともに、前側摺動部１３は、可動棚摺動受部２１の水平部を移動する。なお、後側摺動部９が、前側レール部１８又は固定棚受部２０を移動している間は、可動棚５の抜止部１１が、前側レール部１８又は固定棚受部２０を外側に抱え込んでいるため、可動棚５は上方への移動が規制されている。
【００２７】
可動棚５をさらに押し込めると、図８（ｄ）及び図９（ｄ）に示すように、可動棚５は、後側摺動部９が固定棚受部２０から後側レール部１９に乗り移って該後側レール部１９に支持されるとともに、可動棚側係止部１２が前側レール部１８の前端に係止されて後方への移動が規制される。これにより、可動棚５は、固定棚６の後部下方、即ち、固定棚６の最奥位置までスライドして収納される。
【００２８】
ここで、載置棚４を取外す場合を説明する。図８（ｄ）及び図９（ｄ）に示すように、可動棚５が固定棚６の最奥位置にスライドされて収納されている状態においては、可動棚５の後側摺動部９と抜止部１１は、固定棚６の後側レール部１９を挟み込むように位置している。また、抜止部１１は、切欠部２２と前後方向にほぼ重なって位置している。この状態では、抜止部１１は固定棚受部２０を外側に抱え込んでいないため、可動棚５は上方への移動が規制されていない。また、可動棚５は、後側摺動部９と抜止部１１とで固定棚６の後側レール部１９を挟み込んでいるため、可動棚５を持ち上げると、これに追従して固定棚６も持ち上げられる。これにより、載置棚４、即ち、可動棚５及び固定棚６を同時に持ち上げて取外すことができる。ちなみに、載置棚４を取外した状態で、可動棚５を前方へスライドさせると、可動棚５を固定棚６から取外すことができる。可動棚５を固定棚６に取付けるときは、この逆の手順で行う。
【００２９】
上記した一実施形態によれば次のような作用効果を得ることができる。
本実施形態の構成によれば、冷蔵室３内に設けた載置棚４は、左右両側にレール部１７を有した固定棚６と、固定棚６の前方に位置し、レール部１７に案内されて固定棚６の下方に収納される可動棚５とから構成されている。そして、レール部１７は、固定棚６の前方に設けられた前側レール部１８と、後方に設けられた後側レール部１９とから構成され、それぞれ可動棚５を内側に抱え込む形状にして設けられている。この構成によれば、レール部１７は、固定棚６の左右両側において前後方向の一部に設けられている。このため、射出成形の際にレール部１７を成形するスライド型は、該レール部１７に対応させて固定棚６の前後方向の一部の長さに亘って設ければ良い。従って、固定棚６の表面を、該固定棚６の前後方向のほぼ全域に亘ったスライド型が摺動することはない。このため、スライド型の離型の際の摺動による傷は、固定棚６の前後方向のほぼ全域に亘って付くことはなく、傷が付いたとしても、レール部１７の長さ、即ち、固定棚６の前後方向の一部の長さに抑えることができる。これにより、射出成形の際の離型による傷をできるだけ目立たないようにすることができる。
【００３０】
また、特に固定棚６の上面にガラス板１５を組込んでインサート成形する場合において、スライド型は、ガラス板１５を避けて、該ガラス板１５の無い部分を摺動する。このため、スライド型の離型によってガラス板１５に傷が付くこともない。これにより、意匠性等を向上させるために、載置棚４、特に固定棚６の上面にガラス板１５を組込んでインサート成形したものにおいても、ガラス板１５の表面に射出成形の際の離型による傷が付くことを防ぐことができる。
【００３１】
また、レール部１７の前側レール部１８は、固定棚６の前部に設けられているため、可動棚５の移動量を大きく確保することができる。
そして、前側レール部１８は、後に向かって下降傾斜して設けられているため、可動棚５を前側レール部１８に案内させて固定棚６の下方に滑らかにスライドさせることができる。
さらに、冷蔵室３内の左右両側壁には、可動棚５を受けてスライドさせる固定棚受部２０が設けられ、前側レール部１８の後端は、固定棚受部２０と同等の高さに設けられている。これによれば、可動棚５は、前側レール部１８と固定棚受部２０との間を滑らかに乗り換えて移動することができる。
また、レール部１７は、前側レール部１８とは別に、後側レール部１９を有して構成され、この後側レール部１９は、固定棚受部２０の後方であって同等の高さに位置して設けられている。これによれば、可動棚５は、固定棚受部２０と後側レール部１９との間を滑らかに乗り換えて移動することができる。
【００３２】
可動棚５の裏側後部の左右両側には、前側レール部１８及び後側レール部１９をスライドする後側摺動部９が設けられている。可動棚５を最前位置まで引き出した状態においては、後側摺動部９は前側レール部１８に支持されている。この場合、可動棚５は、固定棚６の前側レール部１８に上下に挟み込まれている。また、可動棚５は、最前位置から後方に移動させるときには、前側レール部１８から固定棚受部２０に乗り換えて移動する。この場合も、可動棚５は、固定棚６の前側レール部１８に上下に挟み込まれている。これにより、可動棚５が最前位置に位置している場合、又は最前位置から後方に移動されている場合に、固定棚６が下から突き上げられたとしても、固定棚６のみが浮き上がることを防止することができる。
【００３３】
そして、後側摺動部９は、可動棚５を最奥位置まで収納した状態においては、後側レール部１９に支持されている。また、内箱２ｂの最後部２ｃと固定棚受部２０の離間されている部分により、固定棚受部２０の奥側に位置して切欠部２２が構成され、可動棚５の裏側最奥部付近の左右両側には、固定棚受部２０を外側に抱え込む形状をなす抜止部１１が設けられている。この抜止部１１は、可動棚５が最前位置まで引き出された状態においては、固定棚受部２０及び前側レール部１８を外側に抱え込んでいる。これにより、可動棚５及び固定棚６、即ち載置棚４は上方への移動が規制されている。また、可動棚５が最奥位置まで収納された状態においては、抜止部１１は、切欠部２２と前後方向にほぼ重なって位置している。これにより、抜止部１１は固定棚受部２０を外側に抱え込んでいないため、可動棚５は上方への移動が規制されていない。
【００３４】
つまり、可動棚５は、最前位置の状態では上方向に移動が規制されて外れないようになっているが、最奥位置の状態では上方向の移動の規制がされないため外れるようになっている。この構成によれば、載置棚４は、可動棚５を最前位置まで引き出して、載置棚４の面積を最大にして使用する場合は、載置棚４が浮いたり不用意に外れたりしないが、可動棚５を最奥位置に収納させた状態では、容易に外すことができる構成となっている。
【００３５】
可動棚５を最奥位置に収納した状態では、後側摺動部９と抜止部１１は、固定棚６の後側レール部１９を挟み込むように位置している。このため、載置棚４、即ち、可動棚５及び固定棚６を同時に持ち上げて取外すことができるようになっている。ここで、後側摺動部９と抜止部１１とが、前後方向に離間して設けられていると、後側レール部１９を挟み込むために該後側レール部１９はその分前後方向に長くする必要がある。本実施形態では、後側摺動部９と、抜止部１１とは、前後方向においてほぼラップして設けられている。これにより、後側レール部１９は、後側摺動部９及び抜止部１１の長さとほぼ同じ長さに設けるだけで良く、従って、後側レール部１９を短く設定することができる。
【００３６】
ちなみに、可動棚５を固定棚６に干渉せずに収納するためには、可動棚５全体を後方にスライドさせるとほぼ同時に、固定棚６の厚さ分、即ち、ガラス板１５の厚さよりも十分下方に移動させる必要がある。本実施形態においては、可動棚５の裏側前部の左右両側には、固定棚受部２０をスライドする前側摺動部１３が設けられている。固定棚受部２０は、その前部が後に向かって下降傾斜する傾斜部２４を有している。可動棚５は、後側摺動部９が前側レール部１８を移動している間に、前側摺動部１３が傾斜部２４の少なくとも一部を移動し、固定棚６の下方に沈み込むようにしてスライドする。この構成においては、可動棚５全体を後方にスライドさせるとほぼ同時に下方に沈み込ませることができ、よって可動棚５を干渉なく固定棚６の下方に収納することができる。
【００３７】
さらに、固定棚受部２０は、前側レール部１８を位置決めする位置決部２３を有している。これによれば、載置棚４を取付ける際は、可動棚５と固定棚６とを組み合わせた後、前側レール部１８を位置決部２３に合せて固定棚受部２０に載せるだけで良いので、容易に取付けることができる。
【００３８】
以上のように、本実施形態の貯蔵庫によれば、貯蔵室を有する貯蔵庫本体と、前記貯蔵室内に設けられ、貯蔵物が載置される載置棚と、を備え、前記載置棚は、左右両側にレール部を有した固定棚と、該固定棚の前方に位置し、前記レール部に案内されて前記固定棚の下方に収納される可動棚とから構成され、前記レール部は、前記固定棚の前後方向の一部に、前記可動棚を内側に抱え込む形状にして設けられている。この構成によれば、射出成形の際にレール部を成形するスライド型は、該レール部に対応させて固定棚の一部の長さに亘って設ければ良い。従って、固定棚の表面を、該固定棚の前後方向のほぼ全域に亘ったスライド型が摺動することはない。このため、スライド型の摺動による傷は、固定棚の前後方向のほぼ全域に亘って付くことはなく、傷が付いたとしても、レール部の長さ、即ち、固定棚の前後方向の一部の長さに抑えることができる。これにより、射出成形の際の離型による傷をできるだけ目立たないようにすることができる。
【００３９】
上記実施形態では、固定棚受部２０及び可動棚摺動受部２１は内箱２ｂと一体に設ける構成としたが、これに限らず、固定棚受部２０及び可動棚摺動受部２１をそれぞれ別部材として設ける構成でも良い。
また、可動棚５にはガラス板８を、固定棚６にはガラス板１５をそれぞれインサート成形する構成としたが、可動棚５及び固定棚６を全て樹脂製としても良い。
さらに、貯蔵庫は、冷蔵庫に限られず、ワインクーラーや冷凍あるいは冷蔵ショーケース、又は温蔵庫などとしても良い。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
図面中、１は冷蔵庫本体（貯蔵庫本体）、３は冷蔵室（貯蔵室）、４は載置棚、５は可動棚、６は固定棚、９は後側摺動部、１１は抜止部、１３は前側摺動部、１７はレール部、１８は前側レール部、１９は後側レール部、２０は固定棚受部（棚受部）、２２は切欠部、２３は位置決部、２４は傾斜部を示す。
【図１】
0005508986.tif 000002
【図２】
0005508986.tif 000003
【図３】
0005508986.tif 000004
【図４】
0005508986.tif 000005
【図５】
0005508986.tif 000006
【図６】
0005508986.tif 000007
【図７】
0005508986.tif 000008
【図８】
0005508986.tif 000009
【図９】
0005508986.tif 000010
【図１０】
0005508986.tif 000011